(57)【要約】      （修正有）【課題】店内に小旗を飾るときに用いられる旗立て台を安価で且つ旗竿の向きを色々に選択できる旗立て台を提供する。【解決手段】基部１１と中間部１４と前面部１２をＳ字形に連続形成し、その前面部と中間部とに複数の孔１３，１５を穿ち、或は基部と中間部とを一体化して全体をＪ字形とし、その前面部に孔を穿ち中間部に複数の突起を設け、上述した前面部の孔に旗竿を通し、旗竿の後端を上述した中間部の孔または突起により保持させるようにし、これらの孔と孔或は突起との選択により旗竿の向きを複数種選択可能とし、上記基部を壁面、棚面等に接着する。【選択図】図１
0003113074.tif 000002
【実用新案登録請求の範囲】
【請求項１】
基部と中間部と前面部とをＳ字形に連続一体的に形成し、前面部に旗竿を挿通する一乃至複数の孔を穿ち、中間部に旗竿の後端部を挿入する一乃至複数の孔を設け、上記基部によって被取付け面に取付け、旗竿を上記前面部の孔を通して後端を中間部の孔に挿入保持させることで、旗竿をその中間点と後端部とで支持するようにした旗立て台。
【請求項２】
基部と前面部とをＪ字形に連続一体的に形成し、前面部に旗竿を挿通する一乃至複数の孔を穿ち、基部に複数の突起を形成し、上記基部によって被取付け面に取付け、旗竿を上記前面部の孔を通して後端を上記基部の突起に支承させることで、旗竿をその中間点と後端とで保持させるようにした旗立て台。
【請求項３】
基部に複数の孔或は突起を設け、この基部に、先端に旗竿を通す輪を保持させた支柱を設立し、上記基部を被取付け面に取付けるようにし、旗竿を上記輪を通して後端を上記基部の孔或は突起に保持させることで、旗竿をその中間点と後端とで支持するようにした旗立て台。
【請求項４】
先端に旗竿を通す輪を有する支柱の脚端を基部に摺動可能に取付けた請求項３記載の旗立て台。
【考案の詳細な説明】
【技術分野】
【０００１】
本考案は店内とか人の集まる場所で、何かのキャンペ−ンなどを行うため、柱とか壁面等に小旗を立てるのに使う旗立て台に関する。
【背景技術】
【０００２】
上述した旗立て台が使われている状況を本考案の最良の実施形態を示す図４を借りて示す。図でＳが旗立て台、Ｆが旗である。この旗立て台Ｓとして図５に示すような物が市販されている。ａは旗Ｆの旗竿Ｒを挿入して立てる筒であり、下端部が取付け基板ｂに設立された爪車ｃの中心にある軸（図では見えない）によって垂直面内の傾きを自由に変えられるように保持されている。筒ａの側面に突出させたピンが爪車ｃの爪と爪との間に係止するので筒ａを任意の傾きに回わした所で筒ａを保持させることが出来、旗Ｆを適当な傾きで立てることが出来るのである。
【０００３】
旗立て台Ｓで旗竿Ｒの傾きが変えられない物であればきわめて簡単な物があるが、何かのキャンペ−ンで旗Ｆを目立たせたい場合、旗竿Ｒの傾きは変えられる方が良い。
【０００４】
上例は旗竿Ｒの傾きを変えられるが、このような品物としては機構的に複雑に過ぎ、高価にならざるを得ない。
【考案の開示】
【考案が解決しようとする課題】
【０００５】
本考案はきわめて簡単安価な構造で旗竿の傾きを選択できる旗立て台を提供しようとするものである。
【課題を解決するための手段】
【０００６】
上記課題を解決するために本考案の旗立て台を、基部と中間部と前面部とをＳ字形に連続一体的に形成し、前面部に旗竿を挿通する一乃至複数の孔を穿ち、中間部に旗竿の後端部を挿入する一乃至複数の孔を設け、上記基部によって被取付け面に取付け、旗竿を上記前面部の孔を通して後端を中間部の孔に挿入保持させることで、旗竿をその中間点と後端部とで支持するようにしたものとする。
【０００７】
また、本考案の旗立て台は、基部と前面部とをＪ字形に連続一体的に形成し、前面部に旗竿を挿通する一乃至複数の孔を穿ち、基部に複数の突起を形成し、上記基部によって被取付け面に取付け、旗竿を上記前面部の孔を通して後端を上記基部の突起に支承させることで、旗竿をその中間点と後端とで保持させるようにしたものであってもよいし、或いは、基部に複数の孔或は突起を設け、この基部に、先端に旗竿を通す輪を保持させた支柱を設立し、上記基部を被取付け面に取付けるようにし、旗竿を上記輪を通して後端を上記基部の孔或は突起に保持させることで、旗竿をその中間点と後端とで支持するようにしたものであってもよい。この場合、先端に旗竿を通す輪を有する支柱の脚端を基部に摺動可能に取付けることが好ましい。
【考案の効果】
【０００８】
本考案の旗立て台を用いるときは、一つの台で色々な傾きを選択して旗を飾ることが出来、或は一つの台で複数の旗を飾ることも出来て、店内とか商店街等をより賑やかに演出することが出来、各種キャンペ−ンの効果を高めることが出来る。
【考案を実施するための最良の形態】
【０００９】
本考案の最良の実施形態を図４に示す。この実施形態は商店の内部で、陳列ケ−スＧの上面と柱Ｃの側面に本考案の旗立て台Ｓが用いられている。柱Ｃ側面の旗立て台Ｓは両面粘着テ−プで柱Ｃに取付けられており、陳列ケ−スＧ上面に置かれた旗立て台Ｓは適当な重さのある小物の上に両面粘着テ−プで取付けて置かれている。この実施形態に示すように本考案の旗立て台Ｓは水平面でも垂直面でも適用出来る。また一つの旗立て台Ｓに複数の旗Ｆを立てることも可能である。
【実施例】
【００１０】
図１に示すものは請求項１に対応するものである。図１（ａ）に示す例は板材より成る本体１をＳ字形に曲げたものである。この曲げ方は角を丸くしたＳ字形でも、漢字の己形であってもよい。本体１は三つの部分より成る。１１は取付け部で壁面等に両面粘着テ−プで取付けられる。前面部１２には旗竿Ｒを通す孔１３が穿設されている。中間部１４には複数の孔１５，１５′等が穿設されている。前面部１２の孔１３の中心と中間部１４の任意の一つの孔１５（１５′）の中心を連ねる線が旗竿Ｒの方向を決める。即ち適宜の場所に取付けられた本体１で旗竿Ｒを孔１３に通し、その端を中間部１４の一つの孔１５（１５′）に挿入することで、旗Ｆを立てることが出来、中間部１４の孔１５，１５′の選択で旗Ｆの方向を選択出来る。
【００１１】
孔１３には切り欠け１３ａが設けてある。これは旗竿Ｒに付ける飾りによっては旗竿Ｒがその軸回りに回っては困るものがあるので、旗竿Ｒに回り止めの突起を設けたとき、その突起と係合させるためのものである。
【００１２】
本体１は金属板であるが、プラスチックで初めからＳ字形に成型してもよい。金属板を曲げて作るとき、板厚が薄くて図で矢印で示した部分の剛性が足りないときは図示のようにノッチｎを入れて補強すると良い。図１（ｂ）はプラスチックで成型した例で、１１の部分と１４の部分を側面壁１１ａでつないで箱型にして強度を高めたものである。
【００１３】
図１（ｂ）の例はまた孔１３，１５の数を増して旗竿Ｒの方向の選択数を増し、また一つの旗立て台Ｓで立てられる旗Ｆの数を増したものである。図の例では孔１３が３個、孔１５，１５′が３個で三本の旗Ｆを立てることが出来、夫々の旗Ｆは三方向に分かれる。
【００１４】
以下に述べる各実施例においても、前例の各部と機能的に対応する部分には名称は異なるが同じ符号を付けて説明をする。
【００１５】
図２に示すものは請求項２に対応するものである。図２（ａ）の例では、逆Ｊ字形に板金１を曲げ、Ｊの字の跳ねの部分１２に一つの孔１３を穿ち、基部１１に前例の孔１５，１５′に相当する切り起し１６を設けたものである。旗竿Ｒは一般に管になっているから、旗竿Ｒを孔１３に通し、竿端Ｒを切り起し１６に被ぶせるようにして旗竿Ｒを保持させるのである。基部１１が壁面への取付け面となり、或は水平面に置く場合の座面となる。
【００１６】
図２（ｂ）は板金１をコ字形に曲成したものである。基部１１に切り起しにより突起１６が形成され、前面部１２に複数個の孔１３が穿設され、旗竿Ｒが保持される仕組みは図３（ａ）と同じである。この例では基部１１と中間部１４の何れも取付け面にすることができる。中間部１４を取付け面とするときは天井面のような下向きの水平面にも適用可能である。
【００１７】
図３は請求項３に対応するもので、図１の例と対応する部分に同じ符号を付けて説明する。図３（ａ）において１１は基板でその上に桶状の中間板１４を凸側を前に向けて取付け、複数の孔１５，１５′を穿設する。図１における前面部の孔１３に相当するのは輪１３で、前面部１２に相当するものは輪１３を保持する支柱１２である。旗竿Ｒは図に鎖線で示すように孔１５，１５′の選択で複数種に方向を変えられる。この例の旗立て台Ｓも垂直面，水平面の何れでも使える。
【００１８】
また図３（ｂ）のように中間板１４に穿つ孔１５，１５′等を複数列にし、輪１３をこの列と同数にすれば同時に複数の旗Ｆを別々の方向を向けて配設することが出来る。この図では孔列は２列であるが、中間板１４の桶形をもっと深くして孔１５等の列を３列以上にすることも可能である。
【００１９】
以下は請求項４に対応するもので、図３（ｃ）の例では、基板１１と中間板１４を共通化して１４を基板とし、曲げ起こしによって複数の突起１６を形成したものである。図３（ａ），（ｂ）の例と同様、旗竿Ｒの中間を保持するのは輪１３で、輪１３は支柱１２に保持される。支柱１２は二又で各脚の端は夫々外方に曲げられ、さらに下方に曲げられて足部１２ａとなっており、この足部１２ａが基板１４の両側縁の内向き巻縁によって形成される溝１７に溝端から挿入され、二脚の弾性的な拡がり力により、溝１７との間の摩擦により任意の高さの所に保持される。このためこの例では旗竿Ｒの向きは突起１６の選択と輪１３の位置の選択の両方によって色々に変えられる。輪１３の位置を変化させる構造は図３（ａ），（ｂ）の例でも適用可能である。
【産業上の利用可能性】
【００２０】
本考案は旗竿の中間点と終端の二点の支持点の選択によって旗竿を色々な方向に向けて保持するもので、旗竿の中間点の支持位置と終端の支持位置を夫々一乃至複数設けて旗竿の可能な向きの選択数を増したものである。本考案では旗竿の向きを連続的には変えれらないが、その分、図５に示したような従来例に比し、構造が遥かに簡単で従って安価であり、構造的には単に一方向に旗竿を保持するだけの物と同程度で機能的には優れている。
【００２１】
従って個々の商店内でのキャンペ−ンだけでなく、商店街全体のキャンペ−ン或は人の多く集まる駅構内でのイベントの宣伝等、各種の商業的活動に用いて宣伝効果を高め得るものである。
【図面の簡単な説明】
【００２２】
【図１】本考案の一実施例を示す図。
【図２】本考案の他の実施例を示す図。
【図３】本考案の更に他の実施例を示す図。
【図４】本考案の実施形態の説明図。
【図５】従来例の一つを示す図。
【符号の説明】
【００２３】
１  本体
１１  取付け部（基部）
１２  前面部
１３  孔
１４  中間部
１５，１５′  孔
１６  突起
１７  溝
【図１】
0003113074.tif 000003
【図２】
0003113074.tif 000004
【図３】
0003113074.tif 000005
【図４】
0003113074.tif 000006
【図５】
0003113074.tif 000007